(57)【要約】【課題】ロールテープの引き出し性能に優れたテープ引出機を提供すること。【解決手段】テープ引出機は、ロールテープ４０から延びるテープ端４１を保持するホルダ部１０と、テープ端４１を把持するチャック部２０と、を備え、チャック部２０とホルダ部１０との間隔を広げることでロールテープ４０を引き出す。ホルダ部１０は、ロールテープ４０の引き出し方向に窪み且つロールテープ４０の厚さ方向に延びると共にロールテープ４０の幅方向の窪み幅がロールテープ４０の幅よりも小さい凹部１４を有し、テープ端４１の一部を凹部１４の溝内部に露出させるようにテープ端４１を保持する一対の第１アーム１３を有する。チャック部２０は、凹部１４の溝内部にアーム先端部２３を挿入して凹部１４に露出したテープ端４１の一部を厚さ方向に挟むと共に凹部１４の溝内部にアーム先端部２３の全体が収容される一対の第２アーム２２を有する。【選択図】図３
2019026439.tif 000002
【特許請求の範囲】
【請求項１】
ロールテープから延びるテープ端を保持するホルダ部と、前記ホルダ部によって保持された前記テープ端を把持するチャック部と、を備えると共に、前記テープ端を把持した前記チャック部と前記ホルダ部との間隔を広げることによって前記ロールテープを引き出す、テープ引出機であって、
前記ホルダ部は、
前記ロールテープの引き出し方向に窪み且つ前記ロールテープの厚さ方向に延びると共に前記ロールテープの幅方向の窪み幅が前記ロールテープの幅よりも小さい凹部を有する一対の第１アームであって、前記テープ端の一部を前記凹部の溝内部に露出させるように前記テープ端を保持する一対の第１アーム、を有し、
前記チャック部は、
前記凹部にアーム先端部を挿入して前記溝内部に露出した前記テープ端の一部を前記厚さ方向に挟む一対の第２アームであって、前記溝内部にアーム先端部の全体が収容される一対の第２アーム、を有する、
テープ引出機。
【請求項２】
請求項１に記載のテープ引出機において、
前記ホルダ部は、
前記ロールテープの幅方向に並んだ複数の前記凹部を有し、
前記第２アームは、
前記凹部の各々に対応した複数の前記アーム先端部を有し、複数の前記アーム先端部によって前記テープ端を把持する、
テープ引出機。
【請求項３】
請求項１又は請求項２に記載のテープ引出機と、
前記テープ引出機によって引き出された前記ロールテープを巻付対象物に巻き付けるテープ巻付機と、を備えた、
テープ巻付装置。
【発明の詳細な説明】
【技術分野】
【０００１】
本発明は、ロールテープを引き出すテープ引出機、及び、引き出されたロールテープを巻付対象物に巻き付けるテープ巻付装置、に関する。
【背景技術】
【０００２】
従来から、車両用のワイヤハーネスを構成する電線束などにロールテープ（例えば、粘着テープ）を巻き付けるテープ巻付装置が提案されている。例えば、従来のテープ巻付装置の一つは、電線束にロールテープを巻き付ける際にロールテープから延びるテープ端を把持して引き出すためのテープ引出機を備えている（例えば、特許文献１を参照。）。
【先行技術文献】
【特許文献】
【０００３】
【特許文献１】特開２０１５−２２５８１５号公報
【特許文献２】特開２０１５−２２４１２３号公報
【発明の概要】
【発明が解決しようとする課題】
【０００４】
上述した従来のテープ巻付装置が備えるテープ引出機は、ロールテープから僅かに引き出されたテープ端の姿勢をホルダ部によって保持し、そのように保持されたテープ端をチャック部によって挟んで把持するようになっている。ところが、通常、テープ端の一部（先端部分）はホルダ部から引き出し方向に延びるように露出しており、この露出した部分はホルダ部によって保持されない。そのため、その露出長さによっては、テープ端が自重によって折れ曲がる場合がある。この場合、折れ曲がったテープ端をチャック部によって把持すると、折れ曲がったテープ端が押し潰されるようにチャック部によって挟まれ、テープ端が適正に把持されない可能性がある。更に、テープ端が適正に把持されない結果、ロールテープを引き出す際にテープ端がチャック部から外れ（分離し）、ロールテープが適正に引き出されない可能性がある。
【０００５】
本発明は、上述した事情に鑑みてなされたものであり、その目的は、ロールテープの引き出し性能に優れたテープ引出機、及び、そのテープ引出機を利用したテープ巻付装置、を提供することにある。
【課題を解決するための手段】
【０００６】
前述した目的を達成するために、本発明に係る「テープ引出機」は、下記（１）及び（２）を特徴としている。
（１）
ロールテープから延びるテープ端を保持するホルダ部と、前記ホルダ部によって保持された前記テープ端を把持するチャック部と、を備えると共に、前記テープ端を把持した前記チャック部と前記ホルダ部との間隔を広げることによって前記ロールテープを引き出す、テープ引出機であって、
前記ホルダ部は、
前記ロールテープの引き出し方向に窪み且つ前記ロールテープの厚さ方向に延びると共に前記ロールテープの幅方向の窪み幅が前記ロールテープの幅よりも小さい凹部を有する一対の第１アームであって、前記テープ端の一部を前記凹部の溝内部に露出させるように前記テープ端を保持する一対の第１アーム、を有し、
前記チャック部は、
前記凹部にアーム先端部を挿入して前記溝内部に露出した前記テープ端の一部を前記厚さ方向に挟む一対の第２アームであって、前記凹部の溝内部にアーム先端部の全体が収容される一対の第２アーム、を有する、
テープ引出機であること。
（２）
上記（１）に記載のテープ引出機において、
前記ホルダ部は、
前記ロールテープの幅方向に並んだ複数の前記凹部を有し、
前記第２アームは、
前記凹部の各々に対応した複数の前記アーム先端部を有し、複数の前記アーム先端部によって前記テープ端を把持する、
テープ引出機であること。
【０００７】
上記（１）の構成のテープ引出機によれば、ホルダ部が有する一対の第１アームが凹部（ロールテープの厚さ方向に延びる溝状の部分）を有し、この凹部の溝内部にロールテープのテープ端の一部が露出するように、テープ端が第１アームに保持される。この凹部の窪み幅はロールテープの幅よりも小さいため、上述したようにテープ端の先端部分が自重によって折れ曲がっても、折れ曲がった部分が凹部の溝内部に入り込み難い。
【０００８】
更に、チャック部が有する一対の第２アームのアーム先端部は、この凹部にその全体が収容された状態にて、溝内部に露出したテープ端を挟んで保持するようになっている。換言すると、第２アームのアーム先端部は、凹部から引き出し方向に露出する（はみ出す）ことなく、テープ端を挟むことができる。そのため、上述したようにテープ端の先端部分が自重で折れ曲がっていても、第２アームのアーム先端部は、その折れ曲がった部分に触れることなく凹部の溝内部を通過してテープ端を把持できる。よって、テープ端の折れ曲がりの有無にかかわらずテープ端が適正に把持され、上述した従来のテープ巻付装置に設けられたテープ引出機に比べ、ロールテープを引き出す際にチャック部がテープ端から外れることが抑制される。
【０００９】
したがって、本構成のテープ引出機は、上述した従来のテープ巻付装置に設けられたテープ引出機に比べ、ロールテープの引き出し性能に優れている。
【００１０】
上記（２）の構成のテープ引出機によれば、ホルダ部が複数の凹部を有し、これら複数の凹部の各々に対応するように、第２アームに複数のアーム先端部が設けられる。これにより、ホルダ部が凹部を一つだけ有する場合に比べ、ロールテープが幅方向の複数箇所において把持されるため、ロールテープを引き出す際のチャック部の外れ等を更に抑制できる。更に、複数の凹部を設けることで個々の凹部の窪み幅を小さくし得るため、自重で折れ曲がったテープ端が凹部に入り込むことを、より確実に防止できる。
【００１１】
更に、前述した目的を達成するために、本発明に係る「テープ巻付装置」は、下記（３）を特徴としている。
（３）
上記（１）又は上記（２）に記載のテープ引出機と、
前記テープ引出機によって引き出された前記ロールテープを巻付対象物に巻き付けるテープ巻付機と、を備えた、
テープ巻付装置であること。
【００１２】
上記（３）の構成のテープ巻付装置によれば、テープ引出機のホルダ部が有する一対の第１アームが凹部（ロールテープの厚さ方向に延びる溝状の部分）を有し、この凹部の溝内部にロールテープのテープ端の一部が露出するように、テープ端が第１アームに挟まれる。この凹部の窪み幅はロールテープの幅よりも小さいため、上述したようにテープ端の先端部分が自重によって折れ曲がっても、折れ曲がった部分が凹部の溝内部に入り込み難い。更に、テープ引出機のチャック部が有する一対の第２アームのアーム先端部は、この凹部にその全体が収容された状態にて、溝内部に露出したテープ端を挟んで保持するようになっている。換言すると、第２アームのアーム先端部は、凹部から引き出し方向に露出する（はみ出す）ことなく、テープ端を挟むことができる。そのため、上述したようにテープ端の先端部分が自重で折れ曲がっていても、第２アームのアーム先端部は、その折れ曲がった部分に触れることなく凹部の溝内部を通過してテープ端を把持できる。よって、テープ端の折れ曲がりの有無にかかわらずテープ端が適正に把持され、上述した従来のテープ巻付装置に設けられたテープ引出機に比べ、ロールテープを引き出す際にチャック部がテープ端から外れることが抑制される。
【００１３】
このように、本構成のテープ巻付装置は、テープ引出機によってロールテープをより確実に引き出すことができ、テープ巻付機によって巻付対象物（例えば、ワイヤハーネスの電線束）にロールテープを巻き付けることができる。
【発明の効果】
【００１４】
本発明によれば、ロールテープの引き出し性能に優れたテープ引出機、及び、そのテープ引出機を備えたテープ巻付装置を提供できる。
【００１５】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１６】
【図１】図１は、本発明の実施形態に係るテープ引出機を備えたテープ巻付装置における、ロールテープの引き出し工程の完了段階を示す斜視図である。
【図２】図２（ａ）は、テープ巻付装置の主要部におけるロールテープの引き出し工程の第１段階を示す斜視図であり、図２（ｂ）は、その第２段階を示す斜視図である。
【図３】図３（ａ）は、図２（ｂ）に示すテープ巻付装置の主要部の側面図であり、図３（ｂ）は、図３（ａ）のＡ−Ａ断面図である。
【図４】図４（ａ）は、テープ巻付装置における、巻付対象物の押圧支持工程の途中段階を示す斜視図であり、図４（ｂ）は、図４（ａ）に示す状態におけるテープ引出部と巻付対象物との接触状態を示す図である。
【図５】図５（ａ）は、テープ巻付装置における、巻付対象物の押圧支持工程の完了段階を示す斜視図であり、図５（ｂ）は、図５（ａ）に示す状態におけるテープ引出部と巻付対象物との接触状態を示す図である。
【図６】図６（ａ）は、図４（ａ）に示す状態におけるテープ引出部と巻付対象物との接触角度を示す図であり、図６（ｂ）は、図５（ａ）に示す状態におけるテープ引出部と巻付対象物との接触角度を示す図である。
【発明を実施するための形態】
【００１７】
＜実施形態＞
以下、図面を参照しながら、本発明の実施形態に係るテープ引出機（主な構成部材：ホルダ部１０，チャック部２０）、及び、テープ巻付機（主な構成部材：支持部３０）、並びに、本発明の実施形態に係るテープ巻付装置１について説明する。テープ巻付装置１は、テープ引出機によって引き出されたロールテープ４０（テープ引出部４０ａ）をテープ巻付機によって巻付対象物（本例では、ワイヤハーネスの電線束５０）に巻き付けるための装置である。
【００１８】
以下、説明の便宜上、図１に示すように、「前後方向」、「左右方向」、「上下方向」、「前」、「後」、「左」、「右」、「上」及び「下」を定義する。前後方向、左右方向、及び、上下方向は互いに直交している。
【００１９】
図１に示すように、テープ巻付装置１は、複数の金属プレート等が組み合わされた構造体である本体部２を備える。本体部２は、作業台（図示省略）の上に、作業台に対して前後方向に移動可能に支持されており、作業台に対する本体部２の前後方向の位置は、後側の退避位置（図１参照）、又は、前側の作動位置（図４及び図５参照）に選択的に制御可能となっている。
【００２０】
本体部２には、ロールテープ４０（粘着テープ）から延びるテープ端４１の姿勢を保持するホルダ部１０と、ホルダ部１０によって保持されたテープ端４１を把持するチャック部２０と、電線束５０を収容して電線束５０の中心軸の変位を防ぐように支持する支持部３０と、が設けられている。
【００２１】
図１〜図３に示すように、ホルダ部１０は、本体部２に設けられたホルダ本体部１１と、ホルダ本体部１１の左側面の所定位置から左方向に一体に突出する円柱状の中心軸部１２と、ホルダ本体部１１の左側面の中心軸部１２より上方の所定位置から前後方向に微小隙間を空けて並ぶように左方向に一体に突出する一対の第１アーム１３と、を備える。
【００２２】
中心軸部１２にはロールテープ４０の中心孔が左側から挿通される（図１等参照）。これにより、ロールテープ４０が、中心軸部１２の軸心周りに回転可能に中心軸部１２に支持される。一対の第１アーム１３の間の微小隙間には、ロールテープ４０から僅かに引き出されたテープ端４１が下側から挿通される（図２（ａ）参照）。
【００２３】
これにより、テープ端４１が、上方に起立するように、一対の第１アーム１３によって保持される（図２（ａ）参照）。テープ端４１を一対の第１アーム１３に保持させる際、テープ端４１の先端部の上下方向位置が、第１アーム１３の上面と同じ位置となるように、又は、第１アーム１３の上面より僅かに上側の位置となる（図２（ａ）参照）ように、テープ端４１が配置される。但し、このテープ端４１の配置は、通常は作業者の手作業で行われるため、配置のバラツキが生じ得る。また、このバラツキに起因し、テープ端４１の先端部分が自重によって折れ曲がる程度にテープ端４１が第１アーム１３の上面から露出する場合もある。
【００２４】
各第１アーム１３の上面には、下方（ロールテープの引き出し方向）に窪み且つ前後方向（ロールテープ４０の厚さ方向）に延びると共に左右方向（ロールテープ４０の幅方向）の窪み幅がロールテープ４０の幅よりも小さい凹部１４が形成されている。本例では、２つの凹部１４が、左右方向に微小距離だけ離れて並んで配置されている。本例では、前後方向から視て、各凹部１４は、矩形状となっている。このように第１アーム１３の各々の上面に凹部１４が形成されているため、テープ端４１が一対の第１アーム１３に保持された状態にて、テープ端４１の一部が凹部１４の溝内部に露出している（図２（ａ）参照）。
【００２５】
図１〜図３に示すように、チャック部２０は、一対の第１アーム１３の上方に位置するように本体部２に設けられたチャック本体部２１と、チャック本体部２１の下面から前後方向に対向して下側に突出するようにチャック本体部２１に設けられた一対の第２アーム２２と、を備える。
【００２６】
チャック本体部２１は、本体部２に対して上下方向に移動可能に本体部２に支持されている。本体部２に対するチャック本体部２１の上下方向の位置は、上側の退避位置（図１参照）、又は、下側の作動位置（図２（ｂ）及び図３参照）に選択的に制御可能となっている。
【００２７】
一対の第２アーム２２のそれぞれの下端部には、前後方向に対向するように互いに近づく向きに延びるアーム先端部２３が形成されている。換言すれば、各第２アーム２２は、左右方向から視て略Ｌ字状の形状を有している。本例では、第１アーム１３の各々に左右方向に並んで形成された２つの凹部１４に対応するように、第２アーム２２の各々において、２つのアーム先端部２３が左右方向に微小距離だけ離れて並んで配置されている。
【００２８】
一対の第２アーム２２のそれぞれは、チャック本体部２１に対して前後方向に移動可能にチャック本体部２１に支持されている。チャック本体部２１に対する一対の第２アーム２２の前後方向の位置は、前後方向に対向するアーム先端部２３の先端面同士が離間する退避位置（テープ端４１を挟まない位置。図示省略）、又は、同先端面同士が当接する作動位置（テープ端４１を挟む位置。図２（ｂ）及び図３参照）に選択的に制御可能となっている。
【００２９】
図１及び図２に示すように、支持部３０は、退避位置にあるチャック本体部２１の右側に隣接するように本体部２に設けられた支持本体部３１と、支持本体部３１に対して上方且つ右方に離れて位置するように本体部２に設けられた押圧部３２と、を備える。
【００３０】
支持本体部３１は、本例では、前後方向及び上下方向に延びる平板状部材である。支持本体部３１には、電線束５０を収容するための収容凹部３３が形成されている。収容凹部３３は、前後方向に延びて前方に開口するＵ字状の溝である。収容凹部３３の円弧状の最奥部３３ａの円弧径（収容凹部３３の開口の上下方向幅）は、電線束５０の外径に対応した大きさに設定されている。
【００３１】
支持本体部３１は、ホルダ本体部１１（中心軸部１２及び一対の第１アーム１３）と一体で、収容凹部３３の最奥部３３ａの円弧に対応して左右方向に延びる中心軸線周りを、本体部２に対して回転駆動可能に本体部２に設けられている。このように、支持本体部３１及びホルダ本体部１１を回転駆動することで、中心軸部１２に支持されたロールテープ４０が、支持本体部３１の収容凹部３３に収容された電線束５０の周りを周回するようになっている。
【００３２】
押圧部３２は、支持本体部３１に収容された電線束５０を押圧支持するために設けられている。本例では、押圧部３２は、その基端部３４が左右方向の軸回りに本体部２に回動可能に支持された棒状部材である。押圧部３２の回動位置は、棒状の押圧部３２が前方に延びる退避位置（図１及び図４参照）、又は、棒状の押圧部３２が下方に延びる作動位置（図５参照）に選択的に制御可能となっている。
【００３３】
以上説明した構成を有するテープ巻付装置１において、ホルダ部１０及びチャック部２０が本発明の実施形態に係るテープ引出機に対応し、ホルダ部１０及び支持部３０がテープ巻付機に対応している。
【００３４】
次いで、テープ巻付装置１を用いてロールテープ４０から引き出されたテープ引出部４０ａを電線束５０に巻き付ける際の手順について説明する。この手順では、ロールテープ４０の引出工程、電線束５０の押圧支持工程、及び、テープ引出部４０ａの巻付工程が、この順に実行される。なお、初期状態（引出工程の前の状態）では、本体部２、チャック本体部２１、一対の第２アーム２２、及び、押圧部３２は全て、退避位置にある。
【００３５】
ロールテープ４０の引出工程では、先ず、図２（ａ）に示すように、ホルダ部１０の中心軸部１２にロールテープ４０の中心孔を挿通させてロールテープ４０を中心軸部１２に支持させる。次いで、ロールテープ４０から僅かに引き出したテープ端４１を一対の第１アーム１３の間の微小隙間に下側から挿通させて、テープ端４１を、上方に起立するように、一対の第１アーム１３によって保持させる。このように、テープ端４１が一対の第１アーム１３に保持された状態では、上述したように、テープ端４１の一部が凹部１４の溝内部に露出している（図２（ａ）参照）。
【００３６】
次いで、チャック部２０のチャック本体部２１を退避位置から作動位置に移動させる。これにより、前後方向に対向し且つ離間したアーム先端部２３同士の間にテープ端４１が介在する状態が得られる。次いで、この状態から、一対の第２アーム２２を退避位置から作動位置に移動させる。
【００３７】
これにより、図２（ｂ）及び図３に示すように、各アーム先端部２３が対応する凹部１４に挿入されて、各凹部１４に露出したテープ端４１の一部が前後方向に対向した対応するアーム先端部２３の先端面同士によってそれぞれ挟持される。このとき、図３（ｂ）に示すように、アーム先端部２３の上面は、上下方向において第１アーム１３の上面と同じ位置、又は、第１アーム１３の上面より下側の位置にある。換言すれば、前後方向から視て、各凹部１４の溝内部に、対応するアーム先端部２３の全体がそれぞれ収容される。
【００３８】
そして、このように、テープ端４１がアーム先端部２３により挟持された状態で、チャック本体部２１を作動位置から退避位置に戻す。換言すれば、チャック部２０とホルダ部１０との間の間隔が広げられる。これにより、テープ端４１がチャック本体部２１と一体でロールテープ４０に対して上方に移動することで、ロールテープ４０が所定長さだけ引き出される。この結果、図１に示すように、所定長さのテープ引出部４０ａが、上下方向に延びるように配置される。これにより、ロールテープ４０の引出工程が終了し、電線束５０の押圧支持工程に移行する。
【００３９】
電線束５０の押圧支持工程では、先ず、図１に示すように、電線束５０（本例では、ワイヤハーネスの電線束）を、作業台に固定配置された所定の治具（図示省略）を用いて、収容凹部３３に対応する上下方向位置にて左右方向に直線状に延びるように、作業台に対して配置する。
【００４０】
次いで、図４に示すように、本体部２を退避位置から作動位置に移動させる。これにより、電線束５０の延在方向の一部が収容凹部３３に収容される。このとき、電線束５０が、上下方向に延びるテープ引出部４０ａに接触してテープ引出部４０ａを後側に押圧する。この押圧力の反力によって、電線束５０は前側に押し返される。
【００４１】
このように、電線束５０が前側に押し返されることで、図４（ｂ）に示すように、電線束５０は、収容凹部３３の最奥部３３ａまで到達せず、最奥部３３ａから前側に若干離れて位置し、電線束５０と接触しているテープ引出部４０ａは、後方に若干撓んだ状態となる。この状態では、図６（ａ）に示すように、テープ引出部４０ａと電線束５０との接触角度θ１は比較的小さい。
【００４２】
次いで、図５に示すように、押圧部３２を退避位置から作動位置に移動させる。これにより、図５（ｂ）に示すように、押圧部３２が電線束５０を後側に押圧することで、収容凹部３３に収容された電線束５０が収容凹部３３内を後側に移動し、電線束５０が最奥部３３ａに到達（当接）した状態に維持される。この電線束５０の移動に伴い、テープ引出部４０ａの後方への撓み量が増大する。この結果、図６（ｂ）に示すように、テープ引出部４０ａと電線束５０との接触角度θ２はθ１（図６（ａ）参照）と比べて大きくなる。これにより、電線束５０の押圧支持工程が終了し、テープ引出部４０ａの巻付工程に移行する。
【００４３】
テープ引出部４０ａの巻付工程では、このように電線束５０が最奥部３３ａに維持され且つ接触角度θ２が大きい状態で、支持本体部３１及びホルダ本体部１１（中心軸部１２及び一対の第１アーム１３）を一体で回動させる。これにより、中心軸部１２に支持されたロールテープ４０が収容凹部３３に収容された電線束５０の周りを周回することで、ロールテープ４０が引き出されながら電線束５０に巻き付けられる。
【００４４】
以上に説明したように、本発明の実施形態に係るテープ引出機、及び、そのテープ引出機を備えたテープ巻付装置１によれば、ホルダ部１０が有する一対の第１アーム１３が凹部１４（ロールテープ４０の厚さ方向（前後方向）に延びる溝状の部分）を有し、この凹部１４にロールテープ４０のテープ端４１の一部が露出するように、テープ端４１が第１アーム１３に保持される。この凹部１４の窪み幅（左右方向の幅）はロールテープ４０の幅よりも小さいため、ホルダ部１０から引き出し方向（上下方向）に露出したテープ端４１が自重で折れ曲がっても、その折れ曲がった部分が凹部１４の溝内部に入り込み難い。
【００４５】
更に、チャック部２０が有する一対の第２アーム２２のアーム先端部２３は、この凹部１４にその全体が収容された状態にて、テープ端４１を挟んで保持するようになっている。換言すると、第２アーム２２のアーム先端部２３は、凹部１４からはみ出すことなく、テープ端４１を挟むことができる。そのため、ホルダ部１０から露出したテープ端４１が自重で折れ曲がっていても、第２アーム２２のアーム先端部２３は、その折れ曲がった部分に触れることなく、テープ端４１を把持できる。その結果、上述した従来のテープ巻付装置に設けられたテープ引出機に比べ、第２アーム２２からテープ端４１が外れることが抑制される。
【００４６】
したがって、本構成のテープ引出機を備えたテープ巻付装置１は、上述した従来のテープ巻付装置に設けられたテープ引出機に比べ、ロールテープ４０の引き出し性能に優れている。
【００４７】
更に、ホルダ部１０が複数の凹部１４を有し、これら複数の凹部１４に対応した第２アーム２２の複数のアーム先端部２３を用いてチャック部２０がテープ端４１を把持するようになっている。そのため、ホルダ部１０が凹部１４を一つだけ有する場合に比べ、ロールテープ４０が幅方向の複数箇所において把持されるため、ロールテープ４０を引き出す際のチャック部２０の外れ等を更に抑制できる。更に、個々の凹部１４の窪み幅が小さくなるため、自重で折れ曲がったテープ端４１が凹部１４に入り込むことを、より確実に防止できる。
【００４８】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
例えば、上記実施形態では、ホルダ部１０の第１アーム１３が複数の凹部１４を有し、チャック部２０の第２アーム２２が複数の凹部１４に対応して複数のアーム先端部２３を有している。これに対し、ホルダ部１０の第１アーム１３が単一の凹部１４を有し、チャック部２０の第２アーム２２が単一の凹部１４に対応して単一のアーム先端部２３を有していてもよい。
【００５０】
ここで、上述した本発明の実施形態に係るテープ引出機、及び、テープ巻付装置の特徴をそれぞれ以下（１）〜（３）に簡潔に纏めて列記する。
（１）
ロールテープ（４０）から延びるテープ端（４１）を保持するホルダ部（１０）と、前記ホルダ部（１０）によって保持された前記テープ端（４１）を把持するチャック部（２０）と、を備えると共に、前記テープ端（４１）を把持した前記チャック部（２０）と前記ホルダ部（１０）との間隔を広げることによって前記ロールテープ（４０）を引き出す、テープ引出機であって、
前記ホルダ部（１０）は、
前記ロールテープ（４０）の引き出し方向に窪み且つ前記ロールテープ（４０）の厚さ方向に延びると共に前記ロールテープ（４０）の幅方向の窪み幅が前記ロールテープ（４０）の幅よりも小さい凹部（１４）を有する一対の第１アーム（１３）であって、前記テープ端（４１）の一部を前記凹部（１４）の溝内部に露出させるように前記テープ端（４１）を保持する一対の第１アーム（１３）、を有し、
前記チャック部（２０）は、
前記凹部（１４）にアーム先端部（２３）を挿入して前記溝内部に露出した前記テープ端（４１）の一部を前記厚さ方向に挟む一対の第２アーム（２２）であって、前記溝内部にアーム先端部（２３）の全体が収容される一対の第２アーム（２２）、を有する、
テープ引出機。
（２）
上記（１）に記載のテープ引出機において、
前記ホルダ部（１０）は、
前記ロールテープ（４０）の幅方向に並んだ複数の前記凹部（１４）を有し、
前記第２アーム（２２）は、
前記凹部（１４）の各々に対応した複数の前記アーム先端部（２３）を有し、複数の前記アーム先端部（２３）によって前記テープ端（４１）を把持する、
テープ引出機。
（３）
上記（１）又は上記（２）に記載のテープ引出機と、
前記テープ引出機によって引き出された前記ロールテープ（４０）を巻付対象物（５０）に巻き付けるテープ巻付機と、を備えた、
テープ巻付装置（１）。
【符号の説明】
【００５１】
１      テープ巻付装置
１０    ホルダ部（テープ引出機）
１３    一対の第１アーム
１４    凹部
２０    チャック部（テープ引出機）
２２    一対の第２アーム
２３    アーム先端部
４０    ロールテープ
４１    テープ端
５０    電線束（巻付対象物）
【図１】
2019026439.tif 000003
【図２】
2019026439.tif 000004
【図３】
2019026439.tif 000005
【図４】
2019026439.tif 000006
【図５】
2019026439.tif 000007
【図６】
2019026439.tif 000008